(57)【要約】      （修正有）【課題】スライド開閉式うちわにおいて、スライド開閉式うちわを強化するとともに動く図柄を楽しみ且つ勉強することができるようにする。【解決手段】２枚のうちわ本体１、２を下端のハトメを含むかなめ留め３をもとにスライド開閉するように重ね合わせ、表側となるうちわ本体１にスライド方向のスリット４を設け、裏側となるうちわ本体２に前出して該スリットに嵌合してスライドする掛止爪５を設けてスライド開閉するように組付けして、該掛止爪を星、乗り物、絵模様のいずれかの大きく強化したカラーデザイン体５ａにして美観をもたらすとともにスリットからの抜け外れ、擦り切れを防止するようにした。【選択図】図１
0003225764.tif 000002
【実用新案登録請求の範囲】
【請求項１】
２枚のうちわ本体を下端のハトメを含むかなめ留めをもとにスライド開閉するように重ね合わせ、表側となるうちわ本体にスライド方向のスリットを設け、裏側となるうちわ本体に前出して該スリットに嵌合してスライドする掛止爪を設けてスライド開閉するように組付けしたうちわにおいて、該掛止爪を星，乗り物，絵模様のいずれかの大きく強化したカラーデザイン体にして美観をもたらすとともにスリットからの抜け外れ，擦り切れを防止するようにしたことを特徴とするスライド開閉式うちわ。
【請求項２】
、スリットと掛止爪を上下２段にして２枚のうちわ本体の組付けを強化するようにした請求項１に記載のスライド開閉式うちわ。
【請求項３】
上下２段の掛止爪を左右対称に設けて、スライド開閉時に掛止爪を交差させる請求項１または２に記載のスライド開閉式うちわ。
【請求項４】
スリットを挟んで難問漢字を並べ設けて、スライド開閉する掛止爪により見えかくれさせて勉強させる請求項１または２に記載のスライド開閉式うちわ。
【考案の詳細な説明】
【技術分野】
【０００１】
この考案はスライド開閉式うちわに関するものある。
【背景技術】
【０００２】
この種のうちわとしては、意匠登録第１３９９６４４号公報がある。この公報は２枚の厚紙を下端部を中心に回転し、相互にスライド可能にして、スリットに切り起こし部を嵌めて２枚の厚紙を離反しないようにしているということを記載している。
【特許文献１】意匠登録第１３９９６４４号公報
【考案の開示】
【考案が解決しようとする課題】
【０００３】
しかしながら、この公報は２枚の厚紙を離反しないようにスリットに嵌める切り起こし部が細く小さいために使用を反複するうちに擦り切れたり、スリットから抜け外れたりしてスライド式うちわをこわしてしまうという課題がある。
また、うちわの美観を損なわしめているという課題がある。
【課題を解決するための手段】
【０００４】
本考案は、この切り起こし部の上記した欠点を解消するために切り起こし部を動物などの大きめのキャラクター，星，乗り物などの絵模様体，カラーデザイン体にしてスライド開閉うちわに美観をもたらすとともに、擦り切れ，抜け外れが生じないようにし、さらにはスリットと切り起こし部を上下２段にするなどして強化して上記の課題を解決する。
【考案の効果】
【０００５】
本考案は２枚のうちわ本体を開き拡げることで、あおぎ風量が増大するという効果を生ずる。
【０００６】
切り起こし部（本考案では掛止爪という）を大きなキャラクターなど図案形状にしたことでスライド開閉うちわに美的なアクセントが得られるとともに擦り切れ，抜け外れがなくなるという効果を生ずる。
【０００７】
スリットおよび掛止爪を上下２段にすることでスライド開閉式うちわをさらに強化し、興趣を高めるという効果を生ずる。
【０００８】
スライド開閉によって掛止爪とスリットの間で絵合わせや難問漢字のかくれ，合わせ回答などの勉強ができるという効果を生ずる。
【図面の簡単な説明】
【０００９】
【図１】第１実施例を示すもので、（ａ）はスライド開き前の正面図、（ｂ）は同、スライド展開した状態の正面図
【図２】第２実施例を示すもので、（ａ）はスライド開き前の正面図、（ｂ）は同、スライド展開した状態の正面図
【図３】第３実施例を示すもので、（ａ）は上下２段にしたスライド開き前の正面図、（ｂ）は同、スライド展開した状態の正面図
【図４】第４実施例を示すもので、（ａ）は上下２段を交差するようにしたスライド開き前の正面図、（ｂ）は同、スライド展開した状態の正面図
【図５】第５実施例を示すもので、（ａ）はスライド開き前の正面図、（ｂ）は同、スライド展開した状態の正面図
【図６】第６実施例を示すもので、（ａ）は表側のうちわ本体の正面図、（ｂ）は同、背面図、（ｃ）は裏側のうちわ本体の正面図、（ｄ）は同、背面図
【図７】同、（ａ）は組付けた状態の正面図、（ｂ）は同、背面図、（ｃ）は同、スライド展開した状態の正面図
【符号の説明】
【００１０】
１は表側のうちわ本体
２は裏側のうちわ本体
３はかなめ留め
３ａは表側のうちわ本体に設けたかなめ留めの一側を構成する丸穴
３ｂは裏側のうちわ本体に設けたかなめ留めの他側を構成する留め片
３ｃはかなめ留めを構成するハトメ
４はスリット
４ａは下半の図柄
５は掛止爪
５ａはキャラクターまたはカラーデザイン体（上半の図柄）
５ｂ絵合わせ体
５ｃは矢印
５ｄは掛止爪の抜き穴
６ａは難問漢字の読み方列
６ｂは難問漢字列
【考案を実施するための最良の形態】
【００１１】
本考案は、２枚のうちわ本体を下部のかなめ留めをもとに扇形開閉するように組み付けする。
表側となるうちわ本体に１段または２段の円弧形をしたスリットを設け、裏側のうちわ本体にこれらのスリットに前出して嵌まる掛止爪を設け、この掛止爪を大きく図案化して２枚のうちわ本体をスライド開閉式に組み付けて構成する。
【実施例１】
【００１２】
図１は本考案の第１実施例であって、上広の円形で彩色絵模様を施したうちわ本体１，２を下端のかなめ留め３をもとに扇形開閉するように組付けする。４は表側のうちわ本体１に設けたスリット、５は裏側のうちわ本体２から前出してスリット４に嵌まる掛止爪である。なお、かなめ留３は一側として表側のうちわ本体１に丸穴３ａを開け、裏側のうちわ本体２から切り起こして張り出した留め片３ｂ，３ｂをこの丸穴３ａに通して表側にて開き拡げて止めるようにして形成するのである。
【００１３】
掛止爪５は図１に示すように大きくして、星，乗り物等の絵模様体、うさぎ，さかななどのキャラクター，カラーデザイン体５ａにしてうちわ本体１，２のスライド開閉とともにスリット４内を移動するようにしている。
【００１４】
しかして、スライド開閉式うちわは、下端のかなめ留め３をもとに２枚のうちわ本体１，２を相互に開き拡げて風量を増すようにして使用し、不使用時には閉じて重ね合わせるようにする。
掛止爪４はうちわ本体１，２の開閉に応じて移動してスリット４の両端に当て止まりする。
【実施例２】
【００１５】
図２は第２実施例で、スリット４と掛止爪５の位置を前例より上方に設けてスリット４を左右方向に増長して、キャラクター，カラーデザイン体５ａの左右動の範囲を大きく拡げてダイナミック感が加わるようにしたのである。なお、この実施例ではかなめ留め３はハトメ３ｃにした例を示している。
【実施例３】
【００１６】
図３は第３実施例で、スリット４と掛止爪５を上下２段にて設けて、２枚のうちわ本体１，２の組付けを強化するとともにキャラクター，カラーデザイン体５ａを上下２個にして美観を倍加するようにしたのである。
【実施例４】
【００１７】
図４は第４実施例で、前例の上下２段のスリット４，４に嵌まる掛止爪５，５を左右端に対称して設けてスライド開閉時に２個のキャラクター，カラーデザイン体５ａ，５ａを交差移動するようにしたのである。
【実施例５】
【００１８】
図５は第５実施例で、スリット４の開き端の下縁に下半の図柄４ａを設けて掛止爪５が開き移動すると上半の図柄５ａがこれに合わさってひとつの大きな絵合わせ体５ｂを形成するようにしたのである。
【実施例６】
【００１９】
図６乃至図７は第６実施例で、図６（ａ）に示すように、表側のうちわ本体１の正面のスリット４下に難問漢字の読み方列６ａを設け、図６（ｂ）に示すように背面のスリット上に難問漢字列６ｂを設ける。図７（ａ）に示すように組付けたスライド開閉うちわの正面では掛止爪５に記した矢印５ｃが読み方列の１つを指し、そのとき図７（ｂ）に示すように背面においては掛止爪５の抜き穴５ｄ内に前記した読み方に対応する難問漢字が見えるようになっている。正面の矢印５ｃまたは背面の抜き穴５ｄを選択して合わせることで漢字の読み方と書き方を勉強させるようにしたのである。
【産業上の利用可能性】
【００２０】
本考案のスライド開閉式うちわは、スライド開閉を反複しても離れこわれしないとともに興趣を高め、知識の向上に役立つものとすることで広く利用されるものとなる。
【図１】
0003225764.tif 000003
【図２】
0003225764.tif 000004
【図３】
0003225764.tif 000005
【図４】
0003225764.tif 000006
【図５】
0003225764.tif 000007
【図６】
0003225764.tif 000008
【図７】
0003225764.tif 000009
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
２枚のうちわ本体を下端のハトメを含むかなめ留めをもとにスライド開閉するように重ね合わせ、表側となるうちわ本体にスライド方向のスリットを設け、裏側となるうちわ本体に前出して該スリットに嵌合してスライドする掛止爪を設けてスライド開閉するように組付けしたうちわにおいて、該掛止爪を星，乗り物，絵模様のいずれかの大きく強化したカラーデザイン体にして美観をもたらすとともにスリットからの抜け外れ，擦り切れを防止するようにしたことを特徴とするスライド開閉式うちわ。
【請求項２】
、スリットと掛止爪を上下２段にして２枚のうちわ本体の組付けを強化するようにした請求項１に記載のスライド開閉式うちわ。
【請求項３】
上下２段の掛止爪を左右対称に設けて、スライド開閉時に掛止爪を交差移動させる請求項１または２に記載のスライド開閉式うちわ。
【請求項４】
スリットを挟んで難問漢字を並べ設けて、スライド開閉する掛止爪により見えかくれさせて勉強させる請求項１または２に記載のスライド開閉式うちわ。